(57)【特許請求の範囲】
【請求項１】
音波が通過する所定の音響抵抗材からなる板状のパネル本体を備えている音響パネルにおいて、
上記パネル本体の少なくとも片面に、音波が通過しない素材からなり、上記パネル本体のパネル面から離れる方向に沿って断面積が漸次減少するほぼ楔状をなす複数の突起物が所定の間隔をもって配置され、隣接する上記突起物の間に、上記パネル本体側の断面積が絞られ、その音響的なインピーダンスが上記パネル本体の音響的なインピーダンスとほぼ整合がとられていて、到来する音波がほとんど反射することなく上記パネル本体内に入るようにしたスピーカコーン状の音波通路からなる音響トランスが形成されていることを特徴とする音響パネル。
【請求項２】
上記音響トランスが、上記パネル本体の両面に形成されていることを特徴とする請求項１に記載の音響パネル。
【請求項３】
上記パネル本体が弾性を有する音響抵抗材からなり、上記パネル本体の両面に音響抵抗がほぼ０に近い目の粗い押圧板が添設されており、上記各押圧板上に上記音響トランスを形成する上記突起物が配置され、上記押圧板を介して上記パネル本体が板厚方向に圧縮可能であることを特徴とする請求項２に記載の音響パネル。
【請求項４】
上記パネル本体の少なくとも一方の面側に、音響抵抗がほぼ０に近い目の粗いプレート部材が面方向に沿って摺動可能に添設されており、上記プレート部材上に上記一方の面側の上記音響トランスを形成する上記突起物が支持され、上記プレート部材を面方向に摺動させることにより、上記一方の面側の音響トランスと他方の面側の音響トランスとが上記パネル本体のパネル面に沿って所定距離ずらして配置されることを特徴とする請求項２に記載の音響パネル。
【請求項５】
上記複数の突起物が、互いに平行として多列状に配置されていることを特徴とする請求項１ないし４のいずれか１項に記載の音響パネル。
【請求項６】
上記複数の突起物が、同心円状に配置されていることを特徴とする請求項１ないし４のいずれか１項に記載の音響パネル。
【発明の詳細な説明】
【技術分野】
【０００１】
本発明は、特にリスニングルームなどに設置される音響パネルに関し、さらに詳しく言えば、空気とのインピーダンス整合を容易にとれるようにした音響パネルに関するものである。
【背景技術】
【０００２】
例えば、リスニングルーム等を設計するにあたっては、聴者にとって、スピーカなどの音源から放射される音波の音質が良好となるように、反射，散乱，吸収の各特性を考慮して音響パネルが選択される。
【０００３】
ところで、音響パネルと空気とのインピーダンスが大きく異なると、音響パネルは反射板として動作し、音波は透過ないし吸収されない。
【０００４】
この点は、音響抵抗値の低い音響抵抗材の厚みを増して所望とする音響抵抗とすることにより解決できるが、これには厚み方向に大きなスペースを必要とするため、好ましい対策とは言えない。
【０００５】
このほかに、特許文献１には、粒子の振動により吸音性能を発現する粉体を音響的に透明な袋状物内に充填してなる吸音材が提案されている。
【０００６】
また、特許文献２には、音を吸収して透過させる音吸収板と、音を干渉させて減衰させる音波干渉空気層と、音波を反射させる反射板とを、音源側から見てこの順序でフレーム内に収納した吸音パネルが提案されている。
【０００７】
特許文献１に記載の発明によれば、厚みが５ｍｍ以下の吸音材が得られるが、用いられる粉体に厳密かつ特殊な仕様が要求されるため、コストの面を含めてその生産が容易ではない、という問題がある。
【０００８】
また、特許文献２に記載の発明によれば、表面の音波の反射や裏面からの反響音を抑えて、すぐれた吸音性能が発揮される吸音パネルが提供されるものの、多くの部品を必要とすることから、構成が複雑でコスト高となることは否めない。
【先行技術文献】
【特許文献】
【０００９】
【特許文献１】特開平９−１１４４６８号公報
【特許文献２】特開２０００−３０９９８９号公報
【発明の概要】
【発明が解決しようとする課題】
【００１０】
したがって、本発明の課題は、リスニングルーム等に設置される音響パネルにおいて、簡単な構成でありながら、空気とのインピーダンス整合が容易で、しかも音響抵抗をリニアに調整し得る構成を備えた音響パネルを提供することにある。
【課題を解決するための手段】
【００１１】
上記課題を解決するため、本発明は、音波が通過する所定の音響抵抗材からなる板状のパネル本体を備えている音響パネルにおいて、
上記パネル本体の少なくとも片面に、音波が通過しない素材からなり、上記パネル本体のパネル面から離れる方向に沿って断面積が漸次減少するほぼ楔状をなす複数の突起物が所定の間隔をもって配置され、隣接する上記突起物の間に、上記パネル本体側の断面積が絞られ、その音響的なインピーダンスが上記パネル本体の音響的なインピーダンスとほぼ整合がとられていて、到来する音波がほとんど反射することなく上記パネル本体内に入るようにしたスピーカコーン状の音波通路からなる音響トランスが形成されていることを特徴としている。
【００１２】
本発明の好ましい態様によれば、上記音響トランスが上記パネル本体の両面に形成される。
【００１３】
本発明には、上記パネル本体が弾性を有する音響抵抗材からなり、上記パネル本体の両面に音響抵抗がほぼ０に近い目の粗い押圧板が添設されており、上記各押圧板上に上記音響トランスを形成する上記突起物が配置され、上記押圧板を介して上記パネル本体が板厚方向に圧縮可能である態様が含まれる。
【００１４】
また、本発明には、上記パネル本体の少なくとも一方の面側に、音響抵抗がほぼ０に近い目の粗いプレート部材が面方向に沿って摺動可能に添設されており、上記プレート部材上に上記一方の面側の上記音響トランスを形成する上記突起物が支持され、上記プレート部材を面方向に摺動させることにより、上記一方の面側の音響トランスと他方の面側の音響トランスとが上記パネル本体のパネル面に沿って所定距離ずらして配置される態様も含まれる。
【００１５】
さらに、本発明には、上記複数の突起物が互いに平行として多列状に配置されている態様と、上記複数の突起物が同心円状に配置されている態様とが含まれる。
【発明の効果】
【００１６】
本発明によれば、パネル本体の少なくとも片面（受音面）側にスピーカコーン状の音波通路からなる音響トランスが形成されており、この音響トランスは、スピーカコーンの「喉」に相当するパネル本体側の断面積が絞られた部分が高い音響抵抗を示す一方、スピーカコーンの「開口部」に相当する断面積が大きい部分では自由空間と音響的なインピーダンスが大きく異ならないため、パネル本体が高い音響抵抗を有している場合でも、到来する音波をほとんど反射することのない音響抵抗として動作する。
【００１７】
また、パネル本体が板厚方向に圧縮するか、および／または、パネル本体の一方の面側の音響トランスに対してパネル本体の他方の面側の音響トランスをパネル本体のパネル面に沿って所定距離ずらして配置することにより、音響抵抗をリニアに調整することができる。
【図面の簡単な説明】
【００１８】
【図１】本発明による音響パネルを示す模式的な斜視図。
【図２】上記音響パネルの一部分を拡大して示す断面図。
【図３】上記音響パネルの音響抵抗を調整する２例を示す断面図。
【発明を実施するための形態】
【００１９】
次に、図１ないし図３により、本発明の実施形態について説明するが、本発明はこれに限定されるものではない。
【００２０】
まず、図１，図２を参照して、本発明の音響パネル１０は、所定の音響抵抗材よりなる板状のパネル本体１１を備え、この実施形態では、パネル本体１１の両面に複数の突起物１２，１３が設けられ、これら突起物１２，１３により、パネル本体１１の両面に音響トランスＴが形成されている。
【００２１】
パネル本体１１には、例えば連続気泡を有するスポンジもしくは不織布等の適度な通気性と弾性とを有する音響抵抗材が好ましく用いられる。
【００２２】
図２に示すように、突起物１２，１３は、パネル本体１１のパネル面側の断面積が大きく、パネル面から離れる方向に沿って断面積が漸次減少するほぼ楔状を呈している。
【００２３】
各突起物１２，１３は、それぞれ同一形状（同形，同大）であり、好ましくは木材や合成樹脂等の音波を透過しない素材により形成される。
【００２４】
この実施形態では、各突起物１２，１３は、横方向（水平方向）に配向され、それらが所定の間隔をもって互いに平行に多列状に配置されている。各突起物１２，１３は、パネル本体１１の両面に左右対称に配置されている。
【００２５】
この実施形態とは異なり、各突起物１２，１３は、縦方向（垂直方向）もしくは斜め方向に配列されてもよい。また、場合によっては、各突起物１２，１３は、同心円状に配置されてもよい。
【００２６】
図２に示すように、各突起物１２，１３が楔状であることから、隣接する突起物１２，１２間および隣接する突起物１３，１３間には、スピーカコーン状（ラッパ状）の空間が形成され、本明細書において、このスピーカコーン状の空間を「音響トランス（参照符号Ｔ）」という。
【００２７】
この音響トランスＴは、スピーカコーンの「喉」に相当するパネル本体１１側の断面積が絞られた部分Ｔａが高い音響抵抗を示す一方、スピーカコーンの「開口部」に相当する断面積が大きい部分Ｔｂでは自由空間と音響的なインピーダンスが大きく異ならないため、パネル本体１１が高い音響抵抗を有している場合でも、到来する音波をほとんど反射することのない音響抵抗として動作する。
【００２８】
例えば、スピーカ等の音源が図２の左側にあるとして、矢印にて示す音源からの音波は突起物１２側の音響トランスＴの開口部分Ｔｂから断面積が徐々に絞られた通路を通って喉部に至る。
【００２９】
この喉部の部分Ｔａでの音響的なインピーダンスはかなり高く、パネル本体１１の音響的なインピーダンスとほぼ整合がとられていることから、ほとんど反射することなくパネル本体１１内に入り、パネル本体１１の音響抵抗により所定に減衰されたのち、突起物１３側の音響トランスＴに抜ける。
【００３０】
この音響パネル１０は、基本的に上記の構成を備えるが、その音響抵抗をリニアに調整することもできる。図３により、その２例について説明する。
【００３１】
まず、第１例としては、図３（ａ）に示すように、パネル本体１１をその板厚方向に圧縮して、パネル本体１１の音響抵抗を可変にする。
【００３２】
これを実現するには、パネル本体１１の両面に、図示しない例えば音響抵抗がほぼ０に近い目の粗い押圧板を添設し、その押圧板を介してパネル本体１１に圧縮力を加えればよい。この場合には、各突起物１２，１３を上記押圧板上に配置することになる。
【００３３】
次に、第２例としては、図３（ｂ）に示すように、パネル本体１１の一方の面に配置される突起物１２と、他方の面に配置される突起物１３とをパネル面に沿って相対的に位置をずらして、パネル本体１１内の音波の通過経路長を可変として、パネル本体１１の音響抵抗を可変にする。
【００３４】
これを実現するには、図示しない例えば音響抵抗がほぼ０に近い目の粗いプレート部材を２枚用意し、その各々に各突起物１２，１３をあらかじめ取り付けておき、上記各プレート部材をパネル本体１１の両面に、その面方向にスライド可能に配置すればよい。
【００３５】
上記実施形態では、パネル本体１１の両面に各突起物による音響トランスを形成しているが、パネル本体１１の片面（受音面）側にのみ突起物による音響トランスが形成されてもよい。
【符号の説明】
【００３６】
１０  音響パネル
１１  パネル本体
１２，１３  突起物
Ｔ  音響トランス
【図１】
0005553557.tif 000002
【図２】
0005553557.tif 000003
【図３】
0005553557.tif 000004